【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
記録媒体に記録されたコンテンツデータを再生する再生装置において、
少なくともコンテンツデータと、該コンテンツデータに対する再生経路を指定し、属性情報として上記コンテンツデータの再生制御指示に対する制限モードを示す値を含む再生指示情報と、該コンテンツデータの再生を制御する再生制御プログラムとが記録された記録媒体からデータを読み出す読み出し手段と、
上記再生制御プログラムに従い上記コンテンツデータを再生するプレーヤ手段と、
上記コンテンツデータの上記再生制御指示を与えるためのユーザオペレーションに応じて上記プレーヤ手段に対する制御コマンドを生成する制御コマンド生成手段と
を有し、
上記プレーヤ手段は、上記記録媒体から上記再生指示情報毎に上記制限モードを示す値を読み出し、読み出された該制限モードを示す値に基づき上記再生指示情報毎にテーブルを生成し、上記制御コマンド生成手段で生成された上記制御コマンドの実行を許可するか否かを、上記テーブルに基づき上記再生指示情報毎に制御するようにしたことを特徴とする再生装置。
【請求項２】
請求項１に記載の再生装置において、
上記制限モードは、上記プレーヤ手段に対して上記コンテンツデータの再生停止を指示する上記制御コマンドのみを許可するモードであることを特徴とする再生装置。
【請求項３】
請求項１に記載の再生装置において、
上記制限モードは、上記制御コマンドが、上記制限モードを示す値が含まれる上記属性情報を持つ上記再生指示情報に対応した再生区間内の任意の時刻からの再生開始を指示する場合に、該再生区間の先頭から１倍速で再生を行うように上記プレーヤ手段を制御するモードであることを特徴とする再生装置。
【請求項４】
請求項１に記載の再生装置において、
上記制限モードは、
上記制限モードが示す値が含まれる上記属性情報を持つ上記再生指示情報に対応する上記コンテンツデータを再生中に上記制御コマンドがあった場合に、上記プレーヤ手段に対して上記コンテンツデータの再生停止を指示する上記制御コマンドのみを許可し、
上記制限モードを示す値が含まれる上記属性情報を持つ上記再生指示情報に対応した再生区間内の任意の時刻からの再生開始を指示する上記制御コマンドがあった場合に、該再生区間の先頭から１倍速で再生を行うように上記プレーヤ手段を制御する
モードであることを特徴とする再生装置。
【請求項５】
請求項１に記載の再生装置において、
上記制限モードは、上記制限モードが示す値が含まれる上記属性情報を持つ上記再生指示情報に対応する上記コンテンツデータを再生中に、上記制御コマンドが該再生指示情報に対応する該コンテンツデータの再生を中止して該再生指示情報に対応した再生区間の末尾にジャンプすることを指示する場合、該制御コマンドの実行を禁止するモードであることを特徴とする再生装置。
【請求項６】
請求項１に記載の再生装置において、
上記プレーヤ手段は、上記制御コマンドがあったときに、現在再生中の上記コンテンツデータに対応する上記再生指示情報の上記属性情報に含まれる上記制限モードを示す値に基づく上記テーブルにより該制御コマンドの実行が許可されているか否かを判断し、
許可されていると判断された場合、該制御コマンドが該再生指示情報に対応した第１の再生区間内で実行されるものか否かをさらに判断し、
該制御コマンドが該第１の再生区間内で実行されるものではないと判断された場合に、該制御コマンドにより新たに再生開始されようとしている第２の再生区間に対応する上記再生指示情報の上記属性情報に含まれる上記制限モードを示す値に基づく上記テーブルにより該第２の再生区間の先頭からの再生のみが許可されているか否かをさらに判断する
ようにしたことを特徴とする再生装置。
【請求項７】
記録媒体に記録されたコンテンツデータを再生する再生方法において、
少なくともコンテンツデータと、該コンテンツデータに対する再生経路を指定し、属性情報として上記コンテンツデータの再生制御指示に対する制限モードを示す値を含む再生指示情報と、該コンテンツデータの再生を制御する再生制御プログラムとが記録された記録媒体からデータを読み出す読み出しのステップと、
上記再生制御プログラムに従い上記コンテンツデータを再生するコンテンツ再生のステップと、
上記コンテンツデータの上記再生制御指示を与えるためのユーザオペレーションに応じて上記プレーヤ手段に対する制御コマンドを生成する制御コマンド生成のステップと
を有し、
上記コンテンツ再生のステップは、上記記録媒体から上記再生指示情報毎に上記制限モードを示す値を読み出し、読み出された該制限モードを示す値に基づき上記再生指示情報毎にテーブルを生成し、上記制御コマンド生成のステップで生成された上記制御コマンドの実行を許可するか否かを、上記テーブルに基づき上記再生指示情報毎に制御するようにしたことを特徴とする再生方法。
【請求項８】
記録媒体に記録されたコンテンツデータを再生する再生方法をコンピュータ装置に実行させる再生プログラムにおいて、
上記再生方法は、
少なくともコンテンツデータと、該コンテンツデータに対する再生経路を指定し、属性情報として上記コンテンツデータの再生制御指示に対する制限モードを示す値を含む再生指示情報と、該コンテンツデータの再生を制御する再生制御プログラムとが記録された記録媒体からデータを読み出す読み出しのステップと、
上記再生制御プログラムに従い上記コンテンツデータを再生するコンテンツ再生のステップと、
上記コンテンツデータの上記再生制御指示を与えるためのユーザオペレーションに応じて上記プレーヤ手段に対する制御コマンドを生成する制御コマンド生成のステップと
を有し、
上記コンテンツ再生のステップは、上記記録媒体から上記再生指示情報毎に上記制限モードを示す値を読み出し、読み出された該制限モードを示す値に基づき上記再生指示情報毎にテーブルを生成し、上記制御コマンド生成のステップで生成された上記制御コマンドの実行を許可するか否かを、上記テーブルに基づき上記再生指示情報毎に制御するようにしたことを特徴とする再生プログラム。
【請求項９】
少なくとも
コンテンツデータと、
該コンテンツデータに対する再生経路を指定し、属性情報として上記コンテンツデータの再生制御指示に対する制限モードを示す値を含む再生指示情報と、
該コンテンツデータの再生を制御する再生制御プログラムと
が記録されることを特徴とする記録媒体。
【請求項１０】
請求項９に記載の記録媒体において、
再生装置により読み出された上記再生制御プログラムに従い上記コンテンツデータが再生され、上記コンテンツデータの上記再生制御指示を与えるために上記再生装置に与えられるユーザオペレーションに応じて上記コンテンツデータの再生を制御する制御コマンドが上記再生装置上で生成され、
上記制限モードを示す値に基づき上記再生装置により上記再生指示情報毎にテーブルが生成され、上記制御コマンドの実行を上記再生装置上で許可するか否かが、上記テーブルに基づき上記再生指示情報毎に制御されるようにしたことを特徴とする記録媒体。
【請求項１１】
請求項９に記載の記録媒体において、
上記制限モードは、上記再生装置に対する上記コンテンツデータの再生停止の指示のみを許可するモードであることを特徴とする記録媒体。
【請求項１２】
請求項９に記載の記録媒体において、
上記制限モードは、上記制限モードを示す値が含まれる上記属性情報を持つ上記再生指示情報に対応した再生区間内の任意の時刻からの再生開始が指示される場合に、該再生区間の先頭から１倍速で再生を行うように上記再生装置による上記コンテンツデータの再生を制御するモードであることを特徴とする記録媒体。
【請求項１３】
請求項９に記載の記録媒体において、
上記制限モードは、
上記再生装置に対して、再生中の上記制限モードが示す値が含まれる上記属性情報を持つ上記再生指示情報に対応する上記コンテンツデータの再生停止の指示があった場合に、該指示のみを許可し、
上記制限モードを示す値が含まれる上記属性情報を持つ上記再生指示情報に対応した再生区間内の任意の時刻からの再生開始の指示があった場合に、該再生区間の先頭から１倍速で再生を行うように上記再生装置による上記コンテンツデータの再生を制御する
モードであることを特徴とする記録媒体。
【請求項１４】
請求項９に記載の記録媒体において、
上記制限モードは、上記制限モードが示す値が含まれる上記属性情報を持つ上記再生指示情報に対応する上記コンテンツデータを上記再生装置が再生中に、上記制御コマンドが該再生指示情報に対応する該コンテンツデータの再生を中止して該再生指示情報に対応した再生区間の末尾にジャンプする指示があった場合、該指示の実行を禁止するモードであることを特徴とする記録媒体。
【請求項１５】
請求項１０に記載の記録媒体において、
上記再生装置上で上記制御コマンドが生成されたときに、現在再生中の上記コンテンツデータに対応する上記再生指示情報の上記属性情報に含まれる上記制限モードを示す値に基づく上記テーブルにより該制御コマンドの実行が許可されているか否かが判断され、
許可されていると判断された場合、該制御コマンドが該再生指示情報に対応した第１の再生区間内で実行されるものか否かがさらに判断され、
該制御コマンドが該第１の再生区間内で実行されるものではないと判断された場合に、該制御コマンドにより新たに再生開始されようとしている第２の再生区間に対応する上記再生指示情報の上記属性情報に含まれる上記制限モードを示す値に基づく上記テーブルにより該第２の再生区間の先頭からの再生のみが許可されているか否かがさらに判断される
ようにしたことを特徴とする記録媒体。
【手続補正２】
【補正対象書類名】明細書
【補正対象項目名】００２１
【補正方法】変更
【補正の内容】
【００２１】
この発明は、上述した課題を解決するために、記録媒体に記録されたコンテンツデータを再生する再生装置において、少なくともコンテンツデータと、コンテンツデータに対する再生経路を指定し、属性情報としてコンテンツデータの再生制御指示に対する制限モードを示す値を含む再生指示情報と、コンテンツデータの再生を制御する再生制御プログラムとが記録された記録媒体からデータを読み出す読み出し手段と、再生制御プログラムに従いコンテンツデータを再生するプレーヤ手段と、コンテンツデータの再生制御指示を与えるためのユーザオペレーションに応じてプレーヤ手段に対する制御コマンドを生成する制御コマンド生成手段とを有し、プレーヤ手段は、記録媒体から再生指示情報毎に制限モードを示す値を読み出し、読み出された制限モードを示す値に基づき再生指示情報毎にテーブルを生成し、制御コマンド生成手段で生成された制御コマンドの実行を許可するか否かを、テーブルに基づき再生指示情報毎に制御するようにしたことを特徴とする再生装置である。
【手続補正３】
【補正対象書類名】明細書
【補正対象項目名】００２２
【補正方法】変更
【補正の内容】
【００２２】
また、この発明は、記録媒体に記録されたコンテンツデータを再生する再生方法において、少なくともコンテンツデータと、コンテンツデータに対する再生経路を指定し、属性情報としてコンテンツデータの再生制御指示に対する制限モードを示す値を含む再生指示情報と、コンテンツデータの再生を制御する再生制御プログラムとが記録された記録媒体からデータを読み出す読み出しのステップと、再生制御プログラムに従いコンテンツデータを再生するコンテンツ再生のステップと、コンテンツデータの再生制御指示を与えるためのユーザオペレーションに応じてプレーヤ手段に対する制御コマンドを生成する制御コマンド生成のステップとを有し、コンテンツ再生のステップは、記録媒体から再生指示情報毎に制限モードを示す値を読み出し、読み出された制限モードを示す値に基づき再生指示情報毎にテーブルを生成し、制御コマンド生成のステップで生成された制御コマンドの実行を許可するか否かを、テーブルに基づき再生指示情報毎に制御するようにしたことを特徴とする再生方法である。
【手続補正４】
【補正対象書類名】明細書
【補正対象項目名】００２３
【補正方法】変更
【補正の内容】
【００２３】
また、この発明は、記録媒体に記録されたコンテンツデータを再生する再生方法をコンピュータ装置に実行させる再生プログラムにおいて、再生方法は、少なくともコンテンツデータと、コンテンツデータに対する再生経路を指定し、属性情報としてコンテンツデータの再生制御指示に対する制限モードを示す値を含む再生指示情報と、コンテンツデータの再生を制御する再生制御プログラムとが記録された記録媒体からデータを読み出す読み出しのステップと、再生制御プログラムに従いコンテンツデータを再生するコンテンツ再生のステップと、コンテンツデータの再生制御指示を与えるためのユーザオペレーションに応じてプレーヤ手段に対する制御コマンドを生成する制御コマンド生成のステップとを有し、コンテンツ再生のステップは、記録媒体から再生指示情報毎に制限モードを示す値を読み出し、読み出された制限モードを示す値に基づき再生指示情報毎にテーブルを生成し、制御コマンド生成のステップで生成された制御コマンドの実行を許可するか否かを、テーブルに基づき再生指示情報毎に制御するようにしたことを特徴とする再生プログラムである。